(57)【要約】【課題】強度を向上でき、製品の品質を向上できる金属カバー付きメモリーカードアダプターを提供する。【解決手段】本体１０と、多数の端子２０と、第一金属カバー３０と、第二金属カバー４０とを含む。本体１０は、後段の両側に案内レール１１ａと案内レール１１ｂがそれぞれ一つ凸設されている。端子２０は、ハウジング１０ａ内に設置され、自由端２１が案内レール１１ａと案内レール１１ｂとの間に延設され、ラップ段２２がそれぞれ貫通孔１３に延設されている。第一金属カバー３０は、案内レール１１ａと案内レール１１ｂの第一側に位置している。第二金属カバー４０は、案内レール１１ａと案内レール１１ｂの第二側の開口を密封している。案内レール１１ａと案内レール１１ｂと第一金属カバー３０と第二金属カバー４０との間にはメモリカード挿入穴が一つ形成されている。【選択図】図１
0003125534.tif 000002
【実用新案登録請求の範囲】
【請求項１】
本体と、多数の端子と、第一金属カバーと、第二金属カバーとを含み、
前記本体は絶縁材料で作製されているものであり、後段の両側には案内レールがそれぞれ一つ凸設してあり、
前記端子はハウジング内に設置され、前記各端子の第一端である自由端が前記本体に設けられた二つの案内レールの間に延設され、前記各端子の第ニ端であるラップ段がそれぞれ前記本体の貫通孔に延設されて外部に露出し、
前記第一金属カバーは両側が前記二つの案内レールにそれぞれ係られ、前記二つの案内レールの第一側に位置し、
前記第二金属カバーは両側が前記二つの案内レールにそれぞれ係られ、前記案内レールの第二側に開設されている開口を密封し、前記二つの案内レールと前記第一金属カバーと前記第二金属カバーとの間にはメモリカードを挿入可能なメモリカード挿入穴が一つ形成されていることを特徴とする金属カバー付きメモリーカードアダプター。
【請求項２】
前記本体は、二つのハウジングが対向に組み合わされて構成されているものであり、前記二つのハウジングの間には前記各端子を収容する収容空間が形成されていることを特徴とする請求項１に記載の金属カバー付きメモリーカードアダプター。
【請求項３】
前記本体の両側に凸設されている案内レールは、外縁の側壁面の長手方向に係合溝がそれぞれ一つ凹設してあり、前記第一金属カバーと前記第ニ金属カバーとの内側へ湾折された端縁がそれぞれ前記係合溝にスライド可能に係合されることを特徴とする請求項１に記載の金属カバー付きメモリーカードアダプター。
【請求項４】
前記第一金属カバーの両側には内側へ湾折されてコ字形断面を呈するスカート部がそれぞれ形成され、前記スカート部は前記本体にある案内レールの外側に設けられている係合溝にスライド可能に係合されることを特徴とする請求項１に記載の金属カバー付きメモリーカードアダプター。
【請求項５】
前記第二金属カバーの両側には内側へ湾折されてコ字形断面を呈するスカート部がそれぞれ形成され、前記スカート部は前記本体にある案内レールの外側に設けられた係合溝にスライド可能に係合されることを特徴とする請求項１に記載の金属カバー付きメモリーカードアダプター。
【請求項６】
前記第一金属カバーの端縁には前記メモリカード挿入穴の上面に対応する凹部が一つ凹設してあり、メモリカードの上面は前記凹部に挿入可能であることを特徴とする請求項１に記載の金属カバー付きメモリーカードアダプター。
【請求項７】
前記各端子の中段は、樹脂射出成形で連接され、前記連接箇所は樹脂本体部であり、前記樹脂本体部は前記ハウジング内の収容空間に嵌合可能であり、前記各端子の第一端である自由端は前記二つの案内レールと前記第一金属カバーと前記第二金属カバーとの間に形成されているメモリカード挿入穴に延設され、前記各端子の第二端であるラップ段が前記本体の貫通孔に延設されて外部に露出することを特徴とする請求項１に記載の金属カバー付きメモリーカードアダプター。
【請求項８】
前記各端子の中段である樹脂本体部には更に一つの弾性アームが凸設してあり、前記弾性アームの末段には位置決め用フック部が形成してあり、前記弾性アームの末段は前記ハウジングのメモリカード挿入穴に挿入され、前記メモリカードの挿入経路に位置し、メモリカードが前記ハウジングのメモリカード挿入穴に挿入されるときには、前記弾性アームの位置決め用フック部がメモリカードの位置決め穴に弾性的に係止されることを特徴とする請求項７に記載の金属カバー付きメモリーカードアダプター。
【考案の詳細な説明】
【技術分野】
【０００１】
本考案は、金属カバー付きメモリーカードアダプターに係り、特に、第一金属カバーと第二金属カバーとはメモリーカードアダプターの後段に設けられた二つの案内レールをカバーしてスライド可能に係合され、且つ前記二つの案内レールと合わせてメモリカードを挿入可能なメモリカード挿入穴が一つ形成される金属カバー付きメモリーカードアダプターに関するものである。
【背景技術】
【０００２】
目下、新仕様のメモリカードは、メモリが高容量であるが、その仕様が従来の電子装置に採用されるメモリカードの仕様と異なるので、従来の電子装置に直接に適用できない問題がある。
従来の電子装置に直接に適用可能にするために、図５に示すメモリーカードアダプターが提案され、このメモリーカードアダプターは、一つのハウジング５１を含み、前記ハウジング５１にはメモリカード挿入穴５１１が凹設してあり、前記ハウジング５１内には多数の端子５２が設けてあり、前記各端子５２が挿入されたメモリカード９０と対応してラップするように、前記各端子５２の第一端である自由端５２１が前記メモリカード挿入穴５１１に延設される。
【考案の開示】
【考案が解決しようとする課題】
【０００３】
しかしながら、メモリカード９０の厚さはカードリーダー装置（例えば、デジカメに設けられたカードリーダー装置）に収容可能のメモリーカードアダプターの厚さとほぼ同じなので、実際には、前記ハウジング５１のメモリカード挿入穴５１１の両裏壁面と挿入されたメモリカード９０の両側面との間の距離（ｔ）は極めて小さく、だから、樹脂射出成形方法により前記ハウジング５１のメモリカード挿入穴５１１の両側面を形成することは困難であり、又は、射出成形された側面は厚さが極めて薄いので、変形し易い欠点がある。
【課題を解決するための手段】
【０００４】
上記欠点を解決するためになされた本考案は、本体と、多数の端子と、第一金属カバーと、第二金属カバーとを含む金属カバー付きメモリーカードアダプターにおいて、前記本体は絶縁材料で作製されたものであり、その後段の両側には案内レールがそれぞれ一つ凸設してあり、前記端子はハウジング内に設置され、前記各端子の第一端である自由端を前記本体に設けられた二つの案内レールの間に延設し、前記各端子の第ニ端であるラップ段がそれぞれ前記本体の貫通孔に延設されて外部に露出し、前記第一金属カバーは両側が前記二つの案内レールにそれぞれ係られ、前記二つの案内レールの第一側に位置し、前記第二金属カバーは両側が前記二つの案内レールにそれぞれ係られ、前記案内レールの第二側に開設された開口を密封し、前記二つの案内レールと前記第一金属カバーと前記第二金属カバーとの間にはメモリカードを挿入可能なメモリカード挿入穴が一つ形成されることを特徴とする金属カバー付きメモリーカードアダプターであることを要旨としている。
【０００５】
本考案では、前記本体は二つのハウジングを対向に組み合わせて構成されるものであり、前記二つのハウジングの間には前記各端子を収容する収容空間が形成されることを特徴とする請求項１に記載の金属カバー付きメモリーカードアダプターであることを要旨としている。
【０００６】
本考案では、前記本体の両側に凸設した案内レールは外縁の側壁面の長手方向に係合溝がそれぞれ一つ凹設してあり、前記第一金属カバーと前記第ニ金属カバーとの内側へ湾折された端縁がそれぞれ前記係合溝にスライド可能に係合されることを特徴とする請求項１に記載の金属カバー付きメモリーカードアダプターであることを要旨としている。
【０００７】
本考案では、前記第一金属カバーの両側には内側へ湾折されてコ字形断面を呈するスカート部がそれぞれ形成され、前記スカート部は前記本体にある案内レールの外側に設けられた係合溝にスライド可能に係合されることを特徴とする請求項１に記載の金属カバー付きメモリーカードアダプターであることを要旨としている。
【０００８】
本考案では、前記第二金属カバーの両側には内側へ湾折されてコ字形断面を呈するスカート部がそれぞれ形成され、前記スカート部は前記本体にある案内レールの外側に設けられた係合溝にスライド可能に係合されることを特徴とする請求項１に記載の金属カバー付きメモリーカードアダプターであることを要旨としている。
【０００９】
本考案では、前記第一金属カバーの端縁には前記メモリカード挿入穴の上面に対応する凹部が一つ凹設してあり、メモリカードの上面は前記凹部に挿入可能であることを特徴とする請求項１に記載の金属カバー付きメモリーカードアダプターであることを要旨としている。
【００１０】
本考案では、前記各端子の中段は樹脂射出成形で連接され、前記連接箇所は樹脂本体部であり、前記樹脂本体部は前記ハウジング内の収容空間に嵌合可能であり、前記各端子の第一端である自由端は前記二つの案内レールと前記第一金属カバーと前記第二金属カバーとの間に形成されるメモリカード挿入穴に延設され、前記各端子の第二端であるラップ段が前記本体の貫通孔に延設されて外部に露出することを特徴とする請求項１に記載の金属カバー付きメモリーカードアダプターであることを要旨としている。
【００１１】
本考案では、前記各端子の中段である樹脂本体部には更に一つの弾性アームが凸設してあり、前記弾性アームの末段には位置決め用フック部が形成してあり、前記弾性アームの末段は前記ハウジングのメモリカード挿入穴に挿入され、前記メモリカードの挿入経路に位置し、メモリカードが前記ハウジングのメモリカード挿入穴に挿入されるときには、前記弾性アームの位置決め用フック部がメモリカードの位置決め穴に弾性的に係止されることを特徴とする請求項７に記載の金属カバー付きメモリーカードアダプターであることを要旨としている。
【考案の効果】
【００１２】
本考案の金属カバー付きメモリーカードアダプターによれば、次のような効果がある。
（イ）第一金属カバーと第二金属カバーとはメモリーカードアダプターの後段をカバーし、二つの案内レールと合わせてメモリカード挿入穴が形成されるので、メモリーカードアダプターの後段の機械強度が向上し、製品の品質が向上し、樹脂射出成形による不良品の発生を防止することができる。
（ロ）第一金属カバーと第二金属カバーとにより外部の電磁ノイズを遮断することができ、信号転送の品質が高くなる。
【考案を実施するための最良の形態】
【００１３】
以下、添付図面を参照して本考案の好適な実施の形態を詳細に説明する。
まず、図１から図４を参照する。本考案の一実施例による金属カバー付きメモリーカードアダプターは、本体１０と、多数の端子２０と、第一金属カバー３０と、第二金属カバー４０とを含む。
【００１４】
前記本体１０は絶縁材料で作製されたものであり、その後段の両側には案内レール１１ａと案内レール１１ｂがそれぞれ一つ凸設してあり、前記多数の端子２０は前記本体１０内に設置され、前記各端子２０の第一端である自由端２１が前記本体１０に設けられた二つの案内レール１１ａと案内レール１１ｂとの間に延設され、前記各端子２０の第ニ端であるラップ段２２がそれぞれ前記本体１０の貫通孔１３に延設されて外部に露出し、前記第一金属カバー３０は両側が前記二つの案内レール１１ａと案内レール１１ｂにそれぞれ係られ、前記二つの案内レール１１ａと案内レール１１ｂの第一側に位置し、前記第二金属カバー４０は両側が前記二つの案内レール１１ａと案内レール１１ｂにそれぞれ係られ、前記案内レール１１ａと案内レール１１ｂの第二側に開設された開口を密封し、前記二つの案内レール１１ａと案内レール１１ｂと前記第一金属カバー３０と前記第二金属カバー４０との間にはメモリカード９０を挿入可能なメモリカード挿入穴１２が一つ形成される。
【００１５】
本実施例の金属カバー付きメモリーカードアダプターの前記本体１０は、二つのハウジング１０ａとハウジング１０ｂを対向に組み合わせて構成されるものであり、前記二つのハウジング１０ａとハウジング１０ｂとの間には前記各端子２０を収容する収容空間１４が形成される。本実施例に係る前記本体１０の両側に凸設した案内レール１１ａと案内レール１１ｂは外縁の側壁面の長手方向に係合溝１１１ａと係合溝１１１ｂがそれぞれ一つ凹設してあり、前記第一金属カバー３０と前記第ニ金属カバー４０との内側へ湾折されたスカート部３１ａ、スカート部４１ａ、スカート部３１ｂ及びスカート部４１ｂがそれぞれ前記係合溝１１１ａと係合溝１１１ｂにスライド可能に係合される．
【００１６】
図１と図４に示すように、本実施例の金属カバー付きメモリーカードアダプターは、前記各端子２０の中段は樹脂射出成形で連接され、前記連接箇所は樹脂本体部２３であり、前記樹脂本体部２３は前記ハウジング１０内の収容空間１４に嵌合可能であり、前記各端子２０の第一端である自由端２１は前記二つの案内レール１１ａと案内レール１１ｂと前記第一金属カバー３０と前記第二金属カバー４０との間に形成されるメモリカード挿入穴１２に延設され、前記各端子２０の第二端であるラップ段２２が前記本体１０の貫通孔１３に延設されて外部に露出し、これにより、メモリーカードアダプターは電子装置（例えば、デジカメ）と電気的に連接することができる。
【００１７】
前記各端子の中段に成形された樹脂本体部２３は、更に一つの弾性アーム２３１が凸設してあり、前記弾性アーム２３１の末段には位置決め用フック部２３１ａが形成してあり、前記弾性アーム２３１の末段は前記ハウジング１０のメモリカード挿入穴１２に挿入され、前記メモリカード９０の挿入経路に位置し、メモリカード９０が前記ハウジング１０のメモリカード挿入穴１２に挿入されるときには、前記弾性アーム２３１の位置決め用フック部２３１ａがメモリカード９０の位置決め穴９１に弾性的に係止され、このとき、メモリカード９０はメモリカード挿入穴１２から容易に脱出することができない。前記位置決め用フック部２３１ａは、く字形を呈してもいいし、球面形状を呈してもよく、本考案はこれらの形状に限定されない。
【００１８】
本実施例の金属カバー付きメモリーカードアダプターは、前記第一金属カバー３０が単一の金属シートをプレス加工して成形されたものであり、その両側にはコ字形断面を呈するスカート部３１ａとスカート部３１ｂが形成され、前記スカート部３１ａとスカート部３１ｂは前記本体１０の案内レール１１ａとスカート部１１ｂの側面に設けられた係合溝１１１ａと係合溝１１１ｂにスライド可能に係合される。なお、前記第二金属カバー３０は、単一の金属シートをプレス加工して成形されたものであり、その両側にはコ字形断面を呈するスカート部４１ａとスカート部４１ｂが形成され、前記スカート部４１ａとスカート部４１ｂは前記本体１０の案内レール１１ａと案内レール１１ｂの側面に設けられた係合溝１１１ａと係合溝１１１ｂにスライド可能に係合される。
【００１９】
前記第一金属カバー３０の端縁には前記メモリカード挿入穴１２の上面に対応する凹部３２が一つ凹設してあり、メモリカード９０の上面は前記凹部３２に挿入可能である。且つ前記第一金属カバー３０は、前記二つの案内レール１１ａと案内レール１１ｂに係合されると、前記案内レール１１ａと案内レール１１ｂの第一側に開設された開口を密封することができる。
【図面の簡単な説明】
【００２０】
【図１】本考案の一実施例による金属カバー付きメモリーカードアダプターを示す分解斜視図である。
【図２】本考案の一実施例による金属カバー付きメモリーカードアダプターのメモリカードを挿入していない状態を示す斜視図である。
【図３】本考案の一実施例による金属カバー付きメモリーカードアダプターのメモリカードを挿入した状態を示す斜視図である。
【図４】図３に示す状態の上面概略図である。
【図５】従来のメモリーカードアダプターのメモリカードを挿入していない状態を示す斜視図である。
【符号の説明】
【００２１】
１０  本体、１０ａ  ハウジング、１１ａ  案内レール、１１ｂ  案内レール、１２  メモリカード挿入穴、１３  貫通孔、１４  収容空間、２０  端子、２１  自由端、２２  ラップ段、２３  樹脂本体部、３０  第一金属カバー、３１ａ  スカート部、３１ｂ  スカート部、３２  凹部、４０  第二金属カバー、４１ａ  スカート部、４１ｂ  スカート部、５１  本体、５２  端子、９０  メモリカード、９１  位置決め穴、１１１ａ  係合溝、１１１ｂ  係合溝、２３１  弾性持ちアーム、２３１ａ  位置決め用フック部、５１１  メモリカード挿入穴、５１２  開口、５２１  自由端
【図１】
0003125534.tif 000003
【図２】
0003125534.tif 000004
【図３】
0003125534.tif 000005
【図４】
0003125534.tif 000006
【図５】
0003125534.tif 000007